(57)【要約】  包装物品は、長手方向軸、第１面、及びこの第１面に相対する第２面を有する実質的に透明な容器、並びに前面及び後面を有するレンチキュラーラベルを含み、その際レンチキュラーラベルの前面は多次元画像を含み、及びその際多次元画像の前面は、実質的に透明な容器の第２面に面する関係で接着される。少なくとも半透明である液体製品を包装する方法であって、前記方法が：（ａ）長手方向軸、第１面、及びこの第１面に相対する第２面を有する実質的に透明な容器を提供する工程と、（ｂ）前面及び後面を有するレンチキュラーラベルを提供する工程であって、その際前面が、少なくとも１つの錯視を付与する多次元画像を含む工程と、（ｃ）レンチキュラーラベルの前面を実質的に透明な容器の第２面に面する関係で接着する工程と、及び（ｄ）少なくとも半透明である液体製品を前記実質的に透明な容器の中に提供する工程とを含む方法。【特許請求の範囲】
【請求項１】
ａ）長手方向軸、第１面、及び前記第１面に相対する第２面を有する実質的に透明な容器と、
ｂ）前面及び後面を有するレンチキュラーラベルであって、その際前記レンチキュラーラベルの前記前面が、少なくとも１つの錯視を付与する多次元画像を含むレンチキュラーラベルとを含む包装物品であって、
前記レンチキュラーラベルの前記前面が、前記実質的に透明な容器の前記第２面に面する関係で接着されることを特徴とする包装物品。
【請求項２】
ａ）長手方向軸、第１面、及び前記第１面に相対する第２面を有する実質的に透明な容器と、
ｂ）前面、後面、複数のレンチキュール、及び複数のインターレースされた構成要素の画像を含むレンチキュラーラベルであって、その際前記レンチキュラーラベルの前記前面が、少なくとも１つの錯視を付与する多次元画像を含むレンチキュラーラベルと、
ｃ）少なくとも半透明である液体製品であって、前記液体製品が、好ましくは、シャンプー、コンディショナー、ヘアーリンス、ヘアージェルスタイリング組成物、液状石鹸、及びシャワージェルから成る群から選択される液体製品とを含む包装物品であって、
前記レンチキュラーラベルの前記前面が、前記実質的に透明な容器の前記第２面に面する関係で接着され、且つ前記多次元画像が、前記実質的に透明な容器の前記第１面を通して及び前記液体製品を通して、観察者が前記錯視を知覚できる観察距離で、実質的に歪みなく観察者に見えるように、前記複数のインターレースされた構成要素の画像が、前記複数のレンチキュールと対応して配置されることを特徴とする包装物品。
【請求項３】
前記錯視が、深さ、動き、反転、拡大・縮小、及びモーフィングから成る群から選択される、請求項１又は２に記載の包装物品。
【請求項４】
前記錯視が、前記包装物品と観察者とが互いに動く時に、好ましくは３０ｃｍ〜９１ｃｍの観察距離で前記観察者に見える、請求項１又は２に記載の包装物品。
【請求項５】
前記錯視が、前記包装物品が観察者により前記長手方向軸の周りに回転しながら平行移動される時に、好ましくは３０ｃｍ〜９１ｃｍの観察距離で前記観察者に見える、請求項１又は２に記載の包装物品。
【請求項６】
前記錯視が、前記包装物品が前記長手方向軸に対して垂直に、水平に平行移動される時に、好ましくは３０ｃｍ〜９１ｃｍの観察距離で観察者に見える、請求項１又は２に記載の包装物品。
【請求項７】
前記実質的に透明な容器が、ポリエチレンテレフタレート、ポリスチレン、ポリ塩化ビニル、ポリプロピレン、高密度ポリエチレン、及びガラスから成る群から選択される材料から製造される、請求項１又は２に記載の包装物品。
【請求項８】
前記実質的に透明な容器の前記第１面及び前記第２面の少なくとも１つが弓形の形状である、請求項１又は２に記載の包装物品。
【請求項９】
前記実質的に透明な容器の前記第１面上のデザインを更に含み、その際前記デザインが前記多次元画像に対して補完的である、請求項１又は２に記載の包装物品。
【請求項１０】
少なくとも半透明である液体製品を包装する際の、請求項１〜９のいずれか１項に記載の包装物品の使用。
【発明の詳細な説明】
【技術分野】
【０００１】
本発明は、レンチキュラーラベルを含む包装物品に関する。より特には、本発明は、実質的に透明な容器の背面に接着されるレンチキュラーラベルを含む包装物品に関する。１つの態様では、本発明は、少なくとも半透明である液体製品を収容する上記のような包装物品に関する。別の態様では、本発明は、少なくとも半透明である液体製品を包装する方法に関する。
【背景技術】
【０００２】
成功する製品販売は、製品自体の品質だけでなく、製品広告の独自性によっても決まる。広告は、多くの形態及び期間、多くの媒体を取るが、多くの場合最良の広告は製品自体の上又はその包装の上にある。しかしながら、多種多様な包装物品が、商店の棚の上に互いに隣接して設置されることは珍しくない。販売を促進するためには、鮮やかな色を使う計画及び非常に派手な装飾様式が潜在する顧客の製品への注意を引くために多くの場合使用される。製造業者には、潜在する顧客が彼らの製品を他の類似製品から容易に識別できるように、特定の形状、大きさ、又は包装の色を使用するものもいる。多くの場合、顧客の興味をそそり且つ注意を引くために、包装物品の１つ以上の外面、例えば容器又はボトルの上にラベルが付着される。ラベルはまた、製品についての詳細及び製造業者の身元を包含する、包装物品の内容物についての情報を提供するために用いられる。
【０００３】
容器又はボトルに適用されることを目的とするラベルは、一般に紙又はプラスチックシートなどから成り、容器を飾ることを目的とする又は容器中に収容される製品に関連する文書又はデザインをその上に印刷又はコピーされた前面を有する。ラベルは一般に、その背面に適した接着剤を薄く塗ることによるか、又はラベルが付けられる時のプラスチックの熱収縮を用いて容器外面に適用される。通常、従来の種類のラベルは、その前面上に、文書、デザイン、又は画像を提供された印刷面を有するが、一方後面は、完全に隠されるか又は見えず、容器若しくはボトルの本体に接着若しくは糊付けされることだけを目的としている。
【０００４】
容器に接着されるラベルの面が、顧客への情報を伝えるために有利に使用できることを認識している者もいた。少なくとも１社は、容器の前面を通して見えるように、バックラベルの接着側面上に画像を印刷している。前と後ろの画像の組み合わせは、容器の供給元及びその内容物、並びにその他の関連する情報又は更なる装飾を伝えるために使用され得る。しかしながら、いずれかの関連する情報又は装飾は、それが紙又はプラスチックシートなど、またはそれらのようなものから製造されたラベルの２次元面又は平面上に提示されるために、２次元であるという点で、この構成には制限がある。
【０００５】
その他に、ラベル及び他の装飾機構は、容器若しくはボトルの内面に挿入及び付着できるか、又は更には内面に付着しながら容器中の液体製品の中に浮かんでいてもよいことが理解されるであろう。ラベル又は装飾機構の別の種類は、容器の内面に付着されずに、容器の中に挿入及び懸濁され得るものである。これらの構成は、物理的に３次元の装飾を可能にすることができる。しかしながら、こうしたラベル又は装飾機構の製造及び組み立ては、より面倒である可能性があり、ひいては従来の２次元ラベルを用いるより費用が掛かる可能性がある。更に、ラベル又は装飾機構の派手さの程度は、その物理的寸法又は物理的デザインに制限され、これは次には、顧客の興味をそそり且つ目を引く能力を制限する。
【０００６】
結果として、従来の製造及び組み立ての効率及び費用有効性を維持しながら、デザインの識別力及びより目立つ派手さを可能にする、包装物品の改善された審美性及びより良好な装飾を提供することへの継続的要求が存在する。
【０００７】
最近、２次元面又は平面上に多次元画像化を可能にするレンチキュラーレンズ技術が、製品及び店頭表示にますます使用されるようになってきた。レンチキュラーレンズは周知であり及び市販されている。レンチキュラーレンズは、従来のラベリング装置を用いて容器又はボトルなどの物体に適用できる、ラベルの組み立てに組み込むことができ、これは製造及び組み立ての効率の維持を可能にする。このように、レンチキュラー技術は、多様な品目において、例えば、販売促進用ボタン、磁石、コースター、収集品、展示ポスター、サイン、メニューボード、箱上の包装、はがき、及び名刺、並びにラベルなどの店頭の材料において既に使用中である。しかしながら、これらの用途は、レンチキュラー技術が、レンチキュラーレンズとして、その後面は基材の外面に接着され、及び多次元画像がその上に見えるその前面は、基材から見て外方に向いているものとして一般に適用されているという共通の特徴を有する。別の言い方をすれば、観察者は、レンズ／空気の界面と呼ぶことのできるものを通してレンチキュラーレンズを見る。例えば、この典型的構成では、レンチキュラーレンズは、容器又はボトルの外側上に表を上に向けて設置される。
【０００８】
レンチキュラー技術は、２次元面又は平面上に多次元画像化を可能にし、これは包装物品の改善された審美性及び良好な装飾を提供することができるが、その従来の適用には、特に包装及びラベルなど店頭材料に関連して幾つかの欠点がある。上記の多様な用途において慣習的であるように、レンチキュラーレンズの多次元画像をレンズ／空気の界面を通して見る時、多次元画像はぼやけたり又は焦点から外れたりして見える可能性がある。多くの場合、観察者はある程度の画像の劣化、又は明瞭さ、鮮明さ、若しくは画質に関連する他の問題を経験する。この効果は、例えば、レンチキュラーレンズが従来の方式で適用される包装又は店頭材料の審美性を低減する可能性がある。
【０００９】
結果として、ぼけ及び画像の劣化が低減され、並びに特に包装及びラベルなどの店頭材料へのレンチキュラー技術の適用に関連する、全体的な視覚的及び審美的効果が高められるように、レンチキュラーレンズの多次元画像の改善された質を提供することへの継続的要求がある。
【発明の開示】
【発明が解決しようとする課題】
【００１０】
さらに、従来の製造及び組み立ての効率及び費用有効性を維持しながら、画像のぼけを低減し及び画質を高めつつ、レンチキュラーレンズを包含する包装物品の改善された審美性及び良好な装飾の要求がある。
【課題を解決するための手段】
【００１１】
長手方向軸、第１面、及び前記第１面に相対する第２面を有する実質的に透明な容器、並びに前面及び後面を有するレンチキュラーラベルを含み、その際レンチキュラーラベルの前面が多次元画像を含み、並びにその際レンチキュラーラベルの前面が、実質的に透明な容器の第２面に面する関係で接着される包装物品が提供される。
【００１２】
本発明の１つの態様では、長手方向軸、第１面、及び前記第１面に相対する第２面を有する実質的に透明な容器、前面、後面、複数のレンチキュール、及び複数のインターレースされた構成要素の画像を含むレンチキュラーラベル、並びに少なくとも半透明である液体製品を含み、その際レンチキュラーラベルの前面が、少なくとも１つの錯視を付与する多次元画像を含み、及びその際レンチキュラーラベルの前面が、実質的に透明な容器の背面に関係する面に接着され、及びその際多次元画像が、実質的に透明な容器の第１面を通して及び液体製品を通して、観察者が前記錯視を知覚できる観察距離で観察者に、実質的に歪みなく見えるように、複数のインターレースされた構成要素の画像が、複数のレンチキュールと対応して配置される包装物品が提供される。
【００１３】
本発明の別の態様では、少なくとも半透明である液体製品を包装する方法が提供され、前記方法は：（ａ）長手方向軸、第１面、及び前記第１面に相対する第２面を有する実質的に透明な容器を提供する工程、（ｂ）前面及び後面を有するレンチキュラーラベルを提供する工程であって、その際前面が、少なくとも１つの錯視を付与する多次元画像を含む工程、（ｃ）レンチキュラーラベルの前面を実質的に透明な容器の第２面に面する関係で接着する工程、及び（ｄ）少なくとも半透明である液体製品を前記実質的に透明な容器の中に提供する工程を含む。
【００１４】
本発明のこれらの及びその他の特徴、態様、並びに利点は、本開示を読むことにより当業者に明らかになるであろう。
【発明を実施するための最良の形態】
【００１５】
本発明を特に指摘し、そして明確に特許請求している特許請求の範囲をもって本明細書は結論づけられるが、本発明は以下の説明からより良く理解されると考えられる。
【００１６】
本発明の包装物品は、レンチキュラーラベル及び実質的に透明な容器を包含する。これらの必須構成要素の各々、並びに好ましい又は任意の構成要素は、下文に詳細に記載される。
【００１７】
Ａ．レンチキュラーラベル
本発明の包装物品は、レンチキュラーラベルを包含する。レンチキュラーラベルは、潜在する顧客の注意を引き、及びまた潜在する顧客に情報を伝達する、独自の装飾及び改善された審美性を有する包装物品を提供するために包含される。
【００１８】
レンチキュラーラベルは、前面及び後面を有する。レンチキュラーラベルの前面は、レンチキュラーレンズを含み、ひいては多次元画像を含有する。本明細書で使用する時、「多次元画像」は、深さ及び／又は動きなどの錯視を観察者に付与し、並びにグラフィックス、ロゴ、文章、又は他の視覚情報のいずれかの組み合わせを包含してもよい画像である。レンチキュラーラベルの後面は、ラベル基材を含み、これは紙、プラスチック、又はいずれかの他の適した材料から製造できる。
【００１９】
レンチキュラーレンズは周知であり及び市販されている。レンチキュラーレンズの製造は、本発明の一部を形成しない。レンチキュラーレンズは、第１面又は背面が平らであり、及び第２面又は前面に複数の平行な線状の隣接するレンチキュール−細長い凸レンズ−を包含する薄い透明なレンズである。各レンチキュールは、典型的には、下にある画像の分割された部分の全長に焦点を合わせ、及びそれを覆う長い円筒形の分割された部分である。下にある画像がレンチキュールを通して多次元の又はレンチキュラー画像として見られる時に、錯視を作り出すために、典型的には、下にある画像は、レンズの平らな又は背面に印刷又は接着される。
【００２０】
レンチキュラーレンズは、典型的にはプラスチック材料、例えばポリエステル、ビニル、ポリカーボネート、ポリ塩化ビニル（ＰＶＣ）、ポリエチレンテレフタレート（ＰＥＴ）、非晶質ポリエチレンテレフタレート（ＡＰＥＴ）などの１つ以上から製造される。レンチキュラーレンズは、鋳造、エンボス加工、及び押出成形のような多様な方法で製造できる。一般に、レンチキュラーレンズを製造するためのこれらの方法は既知である。
【００２１】
レンチキュラーレンズは典型的には、ゲージ厚を有し、及び各レンチキュールは、例えば、米国特許第６，４２４，４６７号に記載されるように、焦点距離、弧の角度、及び幅を包含する特性因子を有する。うねのある又は半球形の浮き上がりのあるレンズのゲージ厚は、典型的には、レンズの曲面の最も外側の端からレンズの平らな背面までを測定した時の厚さである。少なくとも約１０ミルのオーダーのゲージ厚を有するレンチキュラーレンズは、「高解像度」レンチキュラーレンズと呼ばれる。
【００２２】
下にある画像の作製は、当該技術分野において周知である。下にある画像は、それ自体が好ましくは写真画質、又は所望の用途に適したいずれかの他の画質である複数の構成要素の画像の複合物である。構成要素の画像は、多次元画像の所望の特徴に基づいて選択される。構成要素の画像は、次に配置、分割、インターレース、及びマップされて下にある画像を作り出すが、これは、所望の多次元画像及び錯視をその中に生成するレンチキュラーレンズの適切なレンチキュールに対応して正確に配列又は配置されなければならない。構成要素の画像を配置、分割、インターレース、及びマッピングするプロセスは、例えば米国特許第５，４８８，４５１号、第５，６１７１７８号、第５，８４７，８０８号、及び第５，８９６，２３０号に記載されている。構成要素の画像がレンチキュラーレンズの適切なレンチキュールに対応して正確に配列、又は配置されることを確実にするプロセスは、選択されたレンチキュラーレンズの具体的な物理的特性、多次元画像が通常見られる距離、レンチキュラーレンズ及び空気に加えて１つ以上の物理的媒質を包含する界面を通して構成要素の画像が見られるか否か、及び１つ以上の追加的物理的媒質の具体的な物理的特性についての考察を必要とする。本発明の実施形態では、複数のレンチキュールに対応する構成要素の画像を配置、分割、インターレース、及びマッピングする時に、実質的に透明な容器の材料及び／又は少なくとも半透明である液体製品の物理的特性を補うことは、当該技術分野において別に記載されるように、多次元画像が実質的に歪みなく見られることを確実にする場合がある。
【００２３】
構成要素の画像が、レンチキュラーレンズの適切なレンチキュールに対応して正確に配列又は配置されていない時、画像の劣化及び画像の歪み、又は多次元画像の明瞭さ、鮮明さ、若しくは画質に関する他の問題が生じる場合がある。更に、画像がぼやけて又は焦点が外れて見える時の画像の歪みはまた、レンチキュラーレンズの質、材料、厚さ、及び／又は他の特徴に依存して生じる場合がある。本明細書で使用する時、用語「劣化」、「歪み」、及び／又は多次元画像の明瞭さ、鮮明さ、若しくは画質に関連する他の特徴は、以下で更に論じられるように、錯視を知覚できる観察距離で、観察者が多次元画像を見るという状況で決定される。
【００２４】
レンチキュラーラベルの前面は、深さ及び／又は動きなどの錯視を観察者に付与する多次元画像を含む。一般に、錯視は、「深さ」、「動き」、「反転」、「拡大・縮小」、及び「モーフィング」を包含してもよい。「深さ」の錯視は、それが３次元にあるかのように見える画像を提供する。「動き」の錯視は、それが動いているかのように見える画像を提供する。「反転」の錯視は、それが突然その向きを変えるかのように又はそれが消えて再び現れるかのように見える画像を提供する。「拡大・縮小」の錯視は、それが大きさを変える、観察者に近づくか又は離れるかのように見える画像を提供する。「モーフィング」の錯視は、それが別の画像へ変化又は変形しているかのように見える画像を提供する。一般に、多次元画像は、所望のように１つ以上の錯視を付与してもよい。
【００２５】
観察者が錯視を知覚できる観察距離において、観察者は多次元画像により付与される、目的とする錯視を観察する及び識別することができる。観察距離が、約３０ｃｍ（約１２インチ）〜約９１ｃｍ（約３６インチ）であることが好ましい。
【００２６】
本発明の代表的な実施形態では、多次元画像は、花、植物、果物、及び／又はこれらの組み合わせの画像を包含し、その際、花、植物、又は果物は３次元にあるように見え、花が咲くないしは別の方法で変形するように見え、及び／又はそよ風に揺れる若しくはまるで風によって動くように見える。
【００２７】
錯視は、観察者と、多次元画像を有するレンチキュラーラベルを含有する包装物品とが互いに動く時に観察者に見える場合がある。レンチキュラーラベルが接着される包装物品が観察者によって動かされる時、又はレンチキュラーラベルが接着される包装物品を観察者が通り過ぎる時、例えば棚の上に陳列される包装物品を観察者が歩いて過ぎる時に、一般に、観察者とレンチキュラーラベルとは互いに動く。
【００２８】
重要なことに、レンチキュールの向きは所望の錯視の向きを支配する。上記のように、レンチキュラーラベルは、複数の平行な線状の隣接するレンチキュールを包含する。レンチキュラーラベルは、複数のレンチキュールの各々が長手方向軸に実質的に平行になるように、長手方向軸を有する容器又はボトルなどの包装物品に接着されてもよい。このようにして、更に特には、錯視は、レンチキュラーラベルが接着される包装物品が観察者によって長手方向軸の周りに回転しながら平行移動される時に、観察者に見える場合がある。回転平行移動は、観察者が包装物品を保持し、及び包装物品の向きを変える、ひねる、又は回転させる時に生じる場合がある。あるいは、錯視は、レンチキュラーラベルが接着される包装物品が長手方向軸に対して垂直に、水平に平行移動される時に、観察者に見える場合がある。水平な平行移動は、包装物品自体が、観察者によって横方向に移動される時に、又は観察者が包装物品を横方向に通り過ぎる時に生じる場合がある。好ましくは、複数のレンチキュールの各々が実質的に垂直方向、ひいては、実質的に透明な容器の長手方向軸に対して実質的に平行であるように配向される。
【００２９】
上記のように、レンチキュラーラベルは、前面及び後面を有する。レンチキュラーラベルの前面は、実質的に透明な容器の背面に関係する面に接着される。別の言い方をすれば、レンチキュラーラベルは、実質的に透明な容器の第２面に表を下にして接着ないしは別の方法でしっかりと付着される。このようにして、観察者は、レンズ／容器材料／空気の界面と呼ぶことのできるものを通してレンチキュラーレンズを見る。レンチキュラーラベルの接着は、当該技術分野において既知であるようないずれかの手段、例えば適した接着剤を用いてなされてもよいが、ただし接着のための手段は、多次元画像により付与される錯視の質の障害とならない又は質を低減しないことを条件とする。
【００３０】
レンチキュラーラベルの後面は表を上にし、及び実質的に透明な容器の第２面から見て外方に向いている。レンチキュラーラベルの後面は不透明であってもよく、及びいずれかの追加的画像、印刷、デザイン、又は視覚情報を所望のように含有してもよいが、ただしこうした追加的画像などが、レンチキュラーラベルの前面上に透けて見えないこと、及び／又は別の方法でレンチキュラーラベルの前面上に含有される多次元画像の障害とならないことを条件とする。あるいは、レンチキュラーラベルの後面は空白であってもよい。
【００３１】
Ｂ．実質的に透明な容器
本発明のレンチキュラーラベルは、実質的に透明な容器に接着される。更に、レンチキュラーラベルは、実質的に透明な容器の第２面に面する関係で接着されるため、実質的に透明な容器は、多次元画像をそれを通して見ることができるレンチキュラーレンズに加えて物理的媒質（即ち、実質的に透明な容器の少なくとも第１面及び第２面）を提供する。上記のように、観察者はレンチキュラーレンズを、レンズ／空気の界面を提供する従来の構成とは対照的に、レンズ／容器材料／空気の界面と呼ぶことのできるものを通して見る。レンチキュラーラベルの前面を実質的に透明な容器の第２面に面する関係で接着することにより、その結果、多次元画像が、実質的に透明な容器の少なくとも第１面及び第２面を通して、レンズ／容器材料／空気の界面において見られ、改善された画質、ぼけ及び画像の劣化の低減、及び多次元画像の全体的な視覚的及び審美的効果の向上を提供することが発見された。
【００３２】
理論に束縛されるものではないが、実質的に透明な容器の材料は、レンチキュラーレンズの多次元画像と観察者との間の界面において矯正レンズと同様な作用をすると仮定される。
【００３３】
実質的に透明な容器は、その一般構造が周囲を取り囲む連続的な壁を提供し、その中で第１面又は前面が、第２面又は背面とほぼ相対して配置されるとして定義できる限り、一般に、うつわ、容器、入れ物などであってもよく、及びいずれかの適した又は所望の形状であってもよい。本発明の１つの実施形態では、第１面及び第２面の少なくとも１つは、弓形の形状である。第１面及び第２面の少なくとも１つが、弓形の（即ち、湾曲した又は丸い）形状を有することは、多次元画像の全体的な視覚的及び審美的効果の更なる向上を提供する。この特定の実施形態の例は、ほぼ長円形又は楕円形の断面積を有するボトルである。この特定の実施形態の別の例には、ほぼ円筒形の断面積を有するボトルが挙げられる。
【００３４】
実質的に透明な容器の材料は、その向こうの目的物又は画像を、錯視を知覚できる観察距離で観察者が、それを通してはっきりと及び明瞭に見ることができるように、十分な光がそれを通過できるように十分に透過性のものである。観察距離が、約３０ｃｍ（約１２インチ）〜約９１ｃｍ（約３６インチ）であることが好ましい。実質的に透明な容器は、澄んでいてもよいし、又はそれは何らかの色若しくは陰影により薄い色が付いていてもよいが、ただし上記の十分な透過性を可能にすることを条件とする。実質的に透明な容器の材料は、約１．３〜約１．８の範囲の屈折率を有する。
【００３５】
実質的に透明な容器は、いずれかの適した材料、例えばガラス又は１つ以上のプラスチック材料、例えばポリエチレンテレフタレート（ＰＥＴ）、ポリスチレン（ＰＳ）、ポリ塩化ビニル（ＰＶＣ）、ポリプロピレン（ＰＰ）、及び高密度ポリエチレン（ＨＰＤＥ）から製造されてもよい。
【００３６】
Ｃ．少なくとも半透明である任意の液体製品
本発明の包装物品は、実質的に透明な容器中に液体製品を任意に包含してもよく、その際液体製品は少なくとも半透明である。多次元画像をそれを通して見ることができるレンチキュラーレンズに加えて、別の物理的媒質を提供するために、少なくとも半透明である液体製品が、実質的に透明な容器の中に任意に包含されてもよい。このようにして、観察者は、レンズ／容器材料／液体製品／空気の界面と呼ぶことのできるものを通してレンチキュラーレンズを見る。レンチキュラーラベルの前面を実質的に透明な容器の第２面に面する関係で接着することにより、その結果多次元画像が、少なくとも半透明である液体製品、並びに実質的に透明な容器の第１面及び第２面を通して、レンズ／容器材料／液体製品／空気の界面において見られ、改善された画質、ぼけ及び画像の劣化の低減、及び多次元画像の全体的な視覚的及び審美的効果の向上を提供することが発見された。
【００３７】
理論に束縛されるものではないが、実質的に透明な容器の材料及び少なくとも半透明である液体製品は、レンチキュラーレンズの多次元画像と観察者との間の界面において矯正レンズと同様な作用をすると仮定される。
【００３８】
少なくとも半透明である液体製品を実質的に透明な容器の中に加えることにより向上した視覚的効果の例として、多次元画像は、液体製品の中に３次元で浮かんでいるかのように見えることができる。
【００３９】
少なくとも半透明である液体製品は、その向こうの目的物又は画像を、錯視を知覚できる観察距離で観察者が、それを通して少なくとも有効に見ることができるように、十分な光がそれを通過できるように十分に透過性のものである。観察距離が、約３０ｃｍ（約１２インチ）〜約９１ｃｍ（約３６インチ）であることが好ましい。少なくとも半透明である液体製品は、澄んでいてもよいし、又はそれは何らかの色若しくは陰影により薄い色が付いていてもよいが、ただし上記の十分な透過性を可能にすることを条件とする。少なくとも半透明である液体製品は、約１．２〜約１．７の範囲の屈折率を有する。少なくとも半透明である液体製品が、実質的に透明な容器の材料の屈折率と同様な屈折率、例えば片方の約０．５以内の屈折率を有することは好ましい。
【００４０】
本明細書で使用する時、用語「液体製品」は、流体の特徴を示す物質、並びにゲル及び他の粘稠な半固体物質を包含する。少なくとも半透明である液体製品は、例えば、シャンプー、コンディショナー、ヘアーリンス、ヘアージェルスタイリング組成物、液状石鹸、及びシャワージェルであってもよい。少なくとも半透明である液体製品が、化学平衡及び物理平衡にある時、気泡を実質的に含まないことは好ましい。
【００４１】
本発明の代表的な実施形態では、少なくとも半透明であるシャンプー又はコンディショナーが、ほぼ楕円形の断面積を有する澄んだプラスチックボトルの中に収容され、その際レンチキュラーラベルの前面は、プラスチックボトルの第２面に面する関係で接着されている。この代表的な実施形態では、レンチキュラーラベルの多次元画像は、花、植物、果物、及び／又はこれらの組み合わせの画像を包含し、その際、多次元画像に包含された具体的な花、植物、又は果物は、芳香剤、１つ以上の成分、又はプラスチックボトルの中に収容されるシャンプー若しくはコンディショナーの他の特徴を代表するもの又は補完するものである。観察者が、プラスチックボトルを約３０ｃｍ（約１２インチ）〜約９１ｃｍ（約３６インチ）の観察距離で見る時、及び同時にプラスチックボトルに対して動く時、花、植物、又は果物は３次元であるように見え、花が咲くないしは別の方法で変形するように見え、及び／又はそよ風に揺れる若しくはまるで風によって動くように見える。
【００４２】
Ｄ．任意の追加的デザイン
本発明の包装物品は、実質的に透明な容器の第１面上に少なくとも１つの追加的デザインを包含してもよい。追加的デザインは、包装物品に装飾及び改善された審美性を提供するために用いられてもよく並びに潜在する顧客の注意を引き、及び／又は潜在する顧客に情報を伝達する、グラフィックス、ロゴ、文章、若しくは他の視覚情報のいずれかの組み合わせを包含してもよいが、ただし追加的デザインがレンチキュラーラベルの多次元画像の眺めを実質的に妨害しないことを条件とする。デザインは、例えば、実質的に透明な容器の第１面に接着されるラベルであってもよい。あるいは、デザインは、例えば、実質的に透明な容器の第１面に直接スクリーン印刷されてもよい。デザインはまた第２のレンチキュラーラベルであってもよく、ただし、それは第１のレンチキュラーラベルの多次元画像の眺めを実質的に妨害しないことを条件とする。本発明の１つの実施形態では、デザインは、レンチキュラーラベルの多次元画像に対して補完的である。多次元画像のモチーフ又はテーマとほぼ同じ又は同様のモチーフ又はテーマである、グラフィックス、ロゴ、文章、又は他の視覚情報をデザインが含む時、デザインは、多次元画像に対して補完的であってもよい。
【００４３】
Ｅ．少なくとも半透明である液体製品を包装する方法
本発明の別の態様は、少なくとも半透明である液体製品を包装する方法である。この方法は、改善された審美性、並びにレンチキュラーレンズを使用するが画像のぼけを低減し及び画質を向上させるより良好な装飾を有する包装物品を提供する。
【００４４】
少なくとも半透明である液体製品を包装する方法は：（ａ）長手方向軸、第１面、及び前記第１面に相対する第２面を有する実質的に透明な容器を提供する工程と、（ｂ）前面及び後面を有するレンチキュラーラベルを提供する工程であって、その際前面が、少なくとも１つの錯視を付与する多次元画像を含む工程と、（ｃ）レンチキュラーラベルの前面を実質的に透明な容器の第２面に面する関係で接着する工程と、及び（ｄ）少なくとも半透明である液体製品を前記実質的に透明な容器の中に提供する工程とを含む。
【００４５】
上記のように、及び理論に束縛されるものではないが、実質的に透明な容器の材料及び少なくとも半透明である液体製品は、レンチキュラーレンズの多次元画像と観察者との間の界面において矯正レンズとして作用し、上記の利益を結果としてもたらすと仮定される。
【００４６】
「発明を実施するための最良の形態」で引用したすべての文献は、関連部分において本明細書に参考として組み込まれるが、どの文献の引用も、それが本発明に関する先行技術であるとの容認と解釈されるべきではない。
【００４７】
本発明の特定の実施形態について例示及び説明したが、本発明の精神及び範囲から逸脱することなく、その他の様々な変更及び修正が可能なことが、当業者には明白である。したがって、本発明の範囲内にあるそのようなすべての変更及び修正を、添付の特許請求の範囲で扱うものとする。
【国際調査報告】
2007533563.tif 000002
2007533563.tif 000003